(57)【要約】【課題】着脱が容易であると共に、塵埃の進入を防ぐことが可能なフック取付構造、およびこのフック取付構造を用いた筐体構造を提供すること。【解決手段】第１の部材１１には、係合孔１８が設けられていると共に、この係合孔１８よりも端部側に延出している撓みガイド部１６が設けられている。また、第２の部材１２には、抜け止め機能を有するフック部２２がフック形成部２１に突出形成されていると共に、撓みガイド部１６と対向する部分に押し込み孔２３が設けられている。そして、押し込み孔２３に押し込み部材３０を挿通させ、この押し込み部材３０を押し込むことで撓みガイド部１６を撓ませる。これと共に、撓みガイド部１６を撓ませることによってフック形成部２１も撓ませ、それによってフック部２２と係合孔１８との係合状態が解かれる。【選択図】  図１
2004221121.tif 000002
【特許請求の範囲】
【請求項１】
係合孔が設けられていると共に、この係合孔よりも端部側に延出している撓みガイド部を有する第１の部材と、
抜け止め機能を有するフック部がフック形成部に突出形成されていると共に、上記撓みガイド部と対向する部分に押し込み孔が設けられている第２の部材と、
を具備し、上記押し込み孔に押し込み部材を挿通させ、この押し込み部材を押し込むことで上記撓みガイド部を撓ませると共に、この撓みガイド部を撓ませることによって上記フック形成部も撓ませ、上記フック部と上記係合孔との係合状態を解くことを特徴とするフック取付構造。
【請求項２】
前記押し込み孔の縁部であって、前記撓みガイド部と対向する側には台座部が設けられていて、この台座部が前記撓みガイド部に当接することで前記押し込み孔が閉塞されることを特徴とする請求項１記載のフック取付構造。
【請求項３】
前記第１の部材に凹み部分を形成することにより、この第１の部材は、凹み部分の分だけ薄肉化された係合薄肉部が設けられていて、前記フック部と前記係合孔との係合の際には、上記凹み部分に前記第２の部材が位置することで、第１の部材と第２の部材とが一体的に設けられることを特徴とする請求項１または２記載のフック取付構造。
【請求項４】
前記撓みガイド部は、前記係合薄肉部と直交して設けられていると共に、前記第２の部材のフック形成部は周壁部であり、この周壁部と押し込み孔が設けられている第２の部材の底面部とが直交して設けられていることを特徴とする請求項３記載のフック取付構造。
【請求項５】
前記撓みガイド部と前記台座部の間には、キャップ部材が配置され、前記撓みガイド部による前記押し込み孔の閉塞に代わり、このキャップ部材で該押し込み孔を閉塞することを特徴とする請求項２から４のいずれか１項に記載のフック取付構造。
【請求項６】
前記第２の部材には、前記押し込み孔を塞ぐと共に前記撓みガイド部に向かって撓むことが可能な閉塞部が設けられていて、この閉塞部には前記撓みガイド部に当接する当接部が形成されていることを特徴とする請求項１から４のいずれか１項に記載のフック取付構造。
【請求項７】
請求項１から６のいずれか１項に記載のフック取付構造を用いたことを特徴とする筐体構造。
【発明の詳細な説明】
【０００１】
【発明の属する技術分野】
本発明は、フック部と係合孔との着脱により二部材の取り付けおよび取り外しが為されるフック取付構造、およびこのフック取付構造を用いた筐体構造に関する。
【０００２】
【従来の技術】
各種電気機器においては、従来より二部材の係合によって構成される種々の筐体構造が考案されている。このうち、例えば特開平５−８２９７９号公報では、コの字状のカバーにフックが設けられ、カバーを機器本体から取り外す場合には、該カバーの開口部に指を差し込んで、フック近傍を指で撓ませることで係合状態を解除するものが開示されている。
【０００３】
また、例えば特開平６−１６９１８０号公報では、カバーやケース等にフックを設け、このフックの係合により取り付けが為されるものが開示されている。かかる取付構造においては、化学薬品を触れさせることで、係合部分の強度を低下させて破壊し、それによって係合状態を解除している。
【０００４】
さらに、例えば特開平６−３２６４７７号公報では、シャーシの係止孔に、下面カバーに設けられた係止片が係止されることにより、シャーシと下面カバーが取り付けられる構成が開示されている。かかる構成では、シャーシの穴からドライバ等を差し込んで、係止片をドライバ等で押して撓ませた状態で、シャーシと下面カバーとが取り付けられた状態を解除することを可能としている。
【０００５】
また、例えば特開平７−２９７５６６号公報では、カバー側のバネ板体を、筐体の開口端面に係止させることにより、該筐体の筐体開口をカバーで覆う構成が開示されている。かかる構成では、開口部分から指を差し込んでバネ板体を撓ませることにより、筐体からカバーを取り外すことを可能としている。
【０００６】
さらに、例えば特開２０００−１１２６２９号公報では、下ケースのフック部が上ケースの孔に差し込まれることで、両者の係合が為される構成が開示されている。
【０００７】
【特許文献１】
特開平５−８２９７９号公報（図２、図５参照）
【特許文献２】
特開平６−１６９１８０号公報（段落番号０００５、図３、図４参照）
【特許文献３】
特開平６−３２６４７７号公報（図２、図７〜図９参照）
【特許文献４】
特開平７−２９７５６６号公報（図１、図２、図６、図７参照）
【特許文献５】
特開２０００−１１２６２９号公報（図６、図７参照）
【０００８】
【発明が解決しようとする課題】
ところで、上述したような、従来の筐体構造においては、これら取付状態にある上ケースと下ケース等のような、二部材を取り外す作業が面倒となっている。例えば、特開平５−８２９７９号公報に開示されているものでは、カバーの開口部に指を差し込んで、フック近傍を撓ませる際に、カバーの内部で力を入れて指を曲げる必要がある。また、この例では、指が開口部の縁にぶつかって痛い、という問題もある。さらに、開口部から塵埃が入り込み、汚れてしまう、という問題も生じている。
【０００９】
また、特開平６−１６９１８０号公報に開示されているものでは、化学薬品を用いて係合状態を解除しているので、再度係合させて用いることは困難となっている。さらに、特開平６−３２６４７７号公報に開示されたものでは、ドライバ等で係止片を変形または破壊して、係止孔と係止片との間の係合を解除している。この公報記載のものでも、再度係合させ、筐体構造として用いることは困難である。また、ドライバ等を挿通させるための穴を形成する場合には、該穴からの塵埃の進入等が問題となる。
【００１０】
また、特開平７−２９７５６６号公報に開示されているものでは、バネ板体を撓ませるための開口部分をカバーに形成する必要があり、かかる開口部分からの塵埃の進入等が問題となる。また、別途バネ板体をカバーに取り付ける必要があるため、部品点数が増えてコストがかさむ、という問題も生じる。
【００１１】
さらに、特開２０００−１１２６２９号公報に開示されているものでは、フック部が上ケースによって覆われることで、取り外しが非常に困難となっている。この公報記載の構成で両者の係合を解く場合には、上ケース等に別途孔部を形成したり、上ケースと下ケースとの境界部分に隙間を形成し、この隙間からドライバ等を差し込めるようにする必要がある。しかしながら、別途孔部等を形成する場合には、塵埃の問題が生じたり、孔部形成のための工数がかさむ、といった問題も生じる。
【００１２】
本発明は、上記の事情に基づきなされたもので、その目的とするところは、着脱が容易であると共に、塵埃の進入を防ぐことが可能なフック取付構造、およびこのフック取付構造を用いた筐体構造を提供しよう、とするものである。
【００１３】
【課題を解決するための手段】
上述の目的を達成するため、本発明は、係合孔が設けられていると共に、この係合孔よりも端部側に延出している撓みガイド部を有する第１の部材と、抜け止め機能を有するフック部がフック形成部に突出形成されていると共に、撓みガイド部と対向する部分に押し込み孔が設けられている第２の部材と、を具備し、押し込み孔に押し込み部材を挿通させ、この押し込み部材を押し込むことで撓みガイド部を撓ませると共に、この撓みガイド部を撓ませることによってフック形成部も撓ませ、フック部と係合孔との係合状態を解くこととしたものである。
【００１４】
このようなフック取付構造によれば、押し込み部材が撓みガイド部に接触した状態でさらに押し込むと、この撓みガイド部が撓む。また該撓みガイド部の撓みに伴ってフック形成部も撓む。それにより、フック部と係合孔との係合状態を容易に解くことができ、第１の部材と第２の部材とが取り付けられた状態から、両者を簡単に外すことができる。すなわち、作業者は、ドライバ等の押し込み部材を外部から押し込み孔に押し込むと共に、第１の部材と第２の部材とを引き離せば、両者を簡単に外すことができる。
【００１５】
また、押し込み部材の押し込みと、第１の部材および第２の部材の引き離しといった、簡単な作業で第１の部材と第２の部材とを外すことができるため、例えば作業者が余分な力を加えて第１の部材または第２の部材を捻る、といった動作をする必要がない。そのため、両者の取り外しに際して、第１の部材と第２の部材とのいずれにも、破損を生じさせることがない。さらに、この構成では、ドライバ等の押し込み部材を押し込むための押し込み孔が、外観上露呈するが、撓みガイド部で押し込み孔が閉塞されるので、内部構成は見えない状態とすることができる。そのため、デザイン的にも好ましいものとなる。しかも、押し込み孔は、撓みガイド部によって閉塞されるので、この押し込み孔から塵埃が内部侵入するのを防止することができる。また、内部で異物が発生した場合に，この異物が外部に漏れるのを防ぐことができる。
【００１６】
また、他の発明は、上述の発明に加えて更に、押し込み孔の縁部であって、撓みガイド部と対向する側には台座部が設けられていて、この台座部が撓みガイド部に当接することで押し込み孔が閉塞されるものである。
【００１７】
このため、第１の部材と第２の部材とを取り付けると、撓みガイド部に台座部が当接し、この台座部と撓みガイド部との接触によって押し込み孔の開放状態が閉塞される。それによって、塵埃のフック取付構造内部への侵入を、良好に防ぐことができる。また、塵埃の進入を防ぐのみならず、例えば内部で異物が発生した場合に、外部にこの異物が漏れるのを防ぐことができる。また、撓みガイド部を台座部に当接させて受け止めることによって、ガタ付きを抑えることもできる。
【００１８】
さらに、他の発明は、上述の発明に加えて更に、第１の部材に凹み部分を形成することにより、この第１の部材は、凹み部分の分だけ薄肉化された係合薄肉部が設けられていて、フック部と係合孔との係合の際には、凹み部分に第２の部材が位置することで、第１の部材と第２の部材とが一体的に設けられるものである。
【００１９】
このような構成とすることにより、凹み部分に、フック部が設けられている第２の部材を位置させることができる。それによって、第１の部材と第２の部材とを一体的に取り付けた場合に、第２の部材が第１の部材の外壁面から突出するのを防ぐことができる。
【００２０】
また、他の発明は、上述の発明に加えて更に、撓みガイド部は、係合薄肉部と直交して設けられていると共に、第２の部材のフック形成部は周壁部であり、この周壁部と押し込み孔が設けられている第２の部材の底面部とが直交して設けられているものである。
【００２１】
このような構成とすることにより、撓みガイド部および押し込み孔は、係合薄肉部および周壁部と直交して設けられることとなる。このようにすることで、例えば撓みガイド部と押し込み孔とを底面側に配置することができ、それによって、外観上は押し込み孔等が露呈しないフック取付構造とすることができる。
【００２２】
さらに、他の発明は、上述の発明に加えて更に、撓みガイド部と台座部の間には、キャップ部材が配置され、撓みガイド部による押し込み孔の閉塞に代わり、このキャップ部材で該押し込み孔を閉塞するものである。このような構成を採用した場合でも、押し込み孔を良好に閉塞することができる。また、押し込み部材を押し込み孔から押し込んだ場合でも、このキャップ部材を介して撓みガイド部を良好に撓ませることが可能となる。それによって、フック部と係合孔との係合状態を容易に解くことができ、第１の部材と第２の部材とが取り付けられた状態から、両者を外すことができる。
【００２３】
また、他の発明は、上述の発明に加えて更に、第２の部材には、押し込み孔を塞ぐと共に撓みガイド部に向かって撓むことが可能な閉塞部が設けられていて、この閉塞部には撓みガイド部に当接する当接部が形成されているものである。このような構成を採用した場合でも、閉塞部によって押し込み孔を良好に閉塞することができる。また、押し込み部材を押し込み孔から押し込んだ場合でも、この閉塞部を介して撓みガイド部を良好に撓ませることが可能となる。それによって、フック部と係合孔との係合状態を容易に解くことができ、第１の部材と第２の部材とが取り付けられた状態から、両者を外すことができる。
【００２４】
さらに、他の発明は、上述したフック取付構造の各発明を、筐体構造に適用したものである。このようにすることで、第１の部材と第２の部材とが係合されてなる筐体構造を、簡単に着脱させることができる。それによって、この筐体構造が例えば各種電気機器に用いられた場合に、その電気機器のメンテナンス性等を向上させることができる。
【００２５】
【発明の実施の形態】
以下、本発明の一実施の形態について、図１から図４に基づいて説明する。図１は、本発明の一実施の形態に係るフック取付構造１が用いられている筐体構造２の取付状態における一部を示す断面図である。また、図２は、同じく筐体構造２の取付前の状態における一部を示す断面図である。さらに、図３は、同じく筐体構造１の取付前の状態における一部を示す断面斜視図であり、図４は、同じく筐体構造２の取付状態における一部を示す断面斜視図である。
【００２６】
これらの図において、筐体構造２は、第１の部材としての上ケース１１と、第２の部材としての下ケース１２とから構成されている。このうち、上ケース１１は、例えばインクジェットプリンタ等の各種電気機器全体を覆う部分である。また、下ケース１２は、各種部材（メカ的、電気的な各種機構等）を搭載する部分である。
【００２７】
上ケース１１のうち、下ケース１２と取付固定が為される取付部分１３には、凹み部分としての係合凹部１４が設けられている。係合凹部１４は、外壁側が上ケース１１の他の部分よりも窪んだ状態に設けられていて、下ケース１２と係合した場合に面一となる深さを有している。そして、この係合凹部１４によって上ケース１１が削られた残りの薄肉部分が、係合薄肉部１５となっている。なお、図２および図３に示すように、係合凹部１４および係合薄肉部１５は、下ケース１２との係合を行う関係上、ほぼ全周または相当程度の長さを有するように形成されるのが一般的である。
【００２８】
この係合薄肉部１５には、撓みガイド部１６が連なっている。撓みガイド部１６は、係合薄肉部１５と一体的に形成されていて、該係合薄肉部１５からコーナ部１７を介して下ケース１２の底面部２０と平行をなすように設けられている。すなわち、本実施の形態では、係合薄肉部１５と撓みガイド部１６とが、直交するように設けられている。また、係合凹部１４には、後述するフック部２２が係止される係合孔１８が形成されている。
【００２９】
また、下ケース１２には、各種部材を搭載する底面部２０と、この底面部２０から立設された、フック形成部としての周壁部２１とから構成されている。これら底面部２０と周壁部２１は、互いに直交するように設けられている。このうち、周壁部２１には、フック部２２が形成されている。フック部２２は、図２に示すように、周壁部２１から筐体構造２の内部に向かって突出形成されていて、しかも一端側（底面部２０側）に鉛直面２２ａ、他端側（周壁部２１の上端側）に傾斜面２２ｂを有する構成である。また、これら鉛直面２２ａと傾斜面２２ｂの間の寸法、すなわちフック部２２の幅寸法は、上述の係合孔１８の幅寸法への係合に対応するように形成されている。
【００３０】
これら鉛直面２２ａおよび傾斜面２２ｂのうち、鉛直面２２ａは、係合孔１８の孔内部の壁面１８ａと平行をなすように形成されていて、本実施の形態では、周壁部２１の外面および内面とも略垂直を為すように形成されている。それにより、フック部２２が係合孔１８に嵌め込まれた場合には、これら鉛直面２２ａと壁面１８ａは、互いに抜け止め機能としての役割を果たす。
【００３１】
また、傾斜面２２ｂは、係合孔１８の孔内部の壁面１８ａに対して、所定角度傾斜して設けられている。この傾斜面２２ｂは、フック部２２が係合孔１８に嵌め込まれる際の、嵌め込みガイドとして機能するものである。すなわち、下ケース１２に対して、上ケース１１を被せ、フック部２２を係合孔１８に嵌め込むに際しては、上ケース１１のコーナ部１７や係合凹部１４の下側に、傾斜面２２ｂやフック部２２の頂部が摺接し、上ケース１１における係合薄肉部１５の付け根の部分と、フック部２２が接触する地点（コーナ部１７または係合薄肉部１５）との間の全体を撓ませることを可能としている。また、上ケース１１が撓むと共に、下ケース１２も、主に周壁部２１が撓むこととなる。
【００３２】
下ケース１２の底面部２０のうち、上ケース１１を取り付けた後に撓みガイド部１６と対向する部分には、上ケース１１と下ケース１２とを外す際に利用される押し込み孔２３が形成されている。本実施の形態では、押し込み孔２３は、係合孔１８よりも大きな直径を有するものであるが、後述する押し込み部材３０が入り込むことができるものであれば、その大きさは特に限定されるものではない。この押し込み孔２３の周縁であって、筐体構造２の内部側には、台座部２４が形成されている。台座部２４は、撓みガイド部１６に当接する部位であり、この台座部２４と撓みガイド部１６とが当接することによって、押し込み孔２３の奥側が、外部から塞がれる状態となる。
【００３３】
ここで、フック部２２は、上ケース１１と下ケース１２の着脱の際に、係合薄肉部１５および周壁部２１が良好に撓むと共に破損しない程度の突出高さに設定されている。それによって、上ケース１１と下ケース１２の着脱を良好に行えるようにしている。
【００３４】
なお、かかる押し込み孔２３を塞ぐ、上述した撓みガイド部１６は、コーナ部１７から離間した側の台座部２４に載置された後に、終端となる。
【００３５】
以上のような構成を有する筐体構造２に関しては、上ケース１１と下ケース１２とが取り付けられた状態（図１、図４に示す状態）にするためには、係合孔１８にフック部２２の位置合わせを行ない、その後に図２および図３に示す状態から、下ケース１２に対して上ケース１１を押し込む。この場合、上ケース１１のコーナ部１７や係合凹部１４の下側に、傾斜面２２ｂやフック部２２の頂部が摺接するが、その摺接に際して、周壁部２１および係合薄肉部１５は良好に撓む。そのため、これら周壁部２１や係合薄肉部１５は破損することがなく、係合孔１８にフック部２２を良好に嵌め込むことができる。
【００３６】
なお、これらが嵌め込まれた後には、係合孔１８の壁面１８ａと鉛直面２２ａとが係合することにより、上ケース１１と下ケース１２との係合が解かれるのを防止する抜け止めとして機能する。
【００３７】
また、この筐体構造２において、上ケース１１と下ケース１２との係合が解かれた状態（図２および図３に示す状態）とするためには、押し込み孔２３から例えばドライバ等、長尺の押し込み部材３０（図１参照）を差し込む。そして、この押し込み部材３０の先端を撓みガイド部１６に当てて、さらに押し込む。すると、撓みガイド部１６は、押し込み部材３０に押し込まれることによって撓む。ここで、撓みガイド部１６に撓みが生じると、該撓みガイド部１６と一体的に設けられている係合薄肉部１５も撓むこととなる。この係合薄肉部１５は、上ケース１１のうち、係合凹部１４が形成される付け根の部分を支点として撓む。それにより、係合薄肉部１５の撓み角および撓み量が増大すると、フック部２２の鉛直面２２ａと壁面１８ａとの係合が外れる。
【００３８】
そして、この係合が外れた状態で、上ケース１１または下ケース１２を引っ張って、上ケース１１と下ケース１２とを互いに引き離せば、両者の取り付け状態が解除される（図２、図３参照）。なお、完全に解除された場合には、係合薄肉部１５、撓みガイド部１６および周壁部２１が、撓んだ状態から元に戻る。
【００３９】
このような構成の筐体構造２、およびこの筐体構造２に適用されるフック取付構造１によれば、押し込み部材３０を押し込んで、この撓みガイド部１６が撓むと、この撓みガイド部１６の撓みに伴って周壁部２１も撓む。それにより、フック部２２と係合孔１８との係合状態を容易に解くことができ、上ケース１１と下ケース１２とが取り付けられた状態から、簡単に外すことができる。すなわち、作業者は、ドライバ等の押し込み部材３０を外部から押し込み孔２３に押し込んで、上ケース１１と下ケース１２とを引き離す作業を行うことで、簡単に両者を外すことができる。
【００４０】
また、押し込み部材３０の押し込み、および上ケース１１と下ケース１２の引き離しといった、簡単な作業で外すことができるため、例えば作業者が余分な力を加えて上ケース１１や下ケース１２を捻る、といった動作をする必要がない。そのため、両者の取り外しに際して、上ケース１１や下ケース１２に破損を生じさせずに済む。このため、フック取付構造１および筐体構造２の長寿命化が図れる。
【００４１】
また、ドライバ等の押し込み部材３０を押し込むための押し込み孔２３が、外観上露呈するものの、撓みガイド部１６によって押し込み孔２３が閉塞される。そのため、筐体構造２の内部構成は見えない状態とすることができる。それにより、デザイン的にも好ましいものとなる。
【００４２】
さらに、押し込み孔３０は、撓みガイド部１６が台座部２４に当接することにより、閉塞される。このため、押し込み孔３０から塵埃が筐体構造２の内部に侵入するのを防止することができ、作動不良が生じるのを防ぐことができる。かかる塵埃の進入を防止する点で、このフック取付構造１、および筐体構造２を電気機器に用いた場合に、該電気機器の長寿命化を図ることができる。また、塵埃の進入を防ぐのみならず、例えば筐体構造２の内部で異物が発生した場合に、外部にこの異物が漏れるのを防ぐことができる。
【００４３】
また、押し込み孔２３の縁部には台座部２４が設けられていて、この台座部２４が撓みガイド部１６に当接することで押し込み孔３０が閉塞される。このため、撓みガイド部１６への台座部２４の当接により、押し込み孔３０の開放状態を確実に閉塞することができる。それによって、塵埃の筐体構造２の内部への侵入を、一層確実に防ぐことができる。また、台座部２４を撓みガイド部１６に当接させることで、ガタ付きを抑えることもできる。
【００４４】
さらに、上ケース１１の外壁側の係合凹部１４の存在によって、この上ケース１１には、係合薄肉部１５が設けられている。そのため、フック部２２と係合孔１８との係合の際には、係合凹部１４に下ケース１２を位置させることができる。それによって、上ケース１１と下ケース１２とを取り付けた場合に、これらを一体的かつ面一な状態とし、上ケース１１または下ケース１２の一方が、他方よりも突出するのを防ぐことができる。
【００４５】
また、撓みガイド部１６と係合薄肉部１５とは、直交して設けられていて、さらに周壁部２１と押し込み孔２３が設けられている底面部２０とは、直交して設けられている。そのため、撓みガイド部１６と押し込み孔２３とを底面部２０側に配置することができる。このように、押し込み孔２３や撓みガイド部１６を底面部２０側に配置することで、外観上は押し込み孔２３等が露出しない筐体構造２とすることができ、デザイン的に好ましいものとなる。
【００４６】
以上、本発明の一実施の形態について説明したが、本発明はこれ以外にも種々変形可能となっている。以下、それについて説明する。
【００４７】
上述の実施の形態では、上述のように、二部材をフック部２２および係合孔１８によって取り付ける構造が、上シャーシ１１とシャーシ１２とから構成されているが、これらの上シャーシ１１と下シャーシ１２とが、逆になる構成であっても良い。また、第１の部材と第２の部材は、上シャーシ１１および下シャーシ１２に限られるものではなく、種々の二部材を取り付ける構成に、本発明のフック取付構造１を適用することができる。また、本発明は、種々の電気機器に適用可能であるが、その例としては、例えばプリンタやパーソナルコンピュータ、デジタルカメラ、デジタルビデオカメラ、ＤＶＤ再生装置、スキャナ等、種々のものに適用可能である。
【００４８】
また、上述の実施の形態では、フック取付構造１および筐体構造２は、撓みガイド部１６が、係合薄肉部１５から直交した状態となっていて、さらに周壁部２１が、押し込み孔２３を有する底面部２０と直交されたものとなっている。しかしながら、フック取付構造１および筐体構造２は、これには限られるものではなく、直交以外の所定の角度を為す場合、または撓みガイド部１６と係合薄肉部１５、および周壁部２１と底面部２０とが平行を為す状態であっても良い。
【００４９】
さらに、押し込み孔２３の閉塞の必要がない場合には、台座部２４を省略するようにしても良い。また、上ケース１１と下ケース１２とが面一となる必要がなければ、係合凹部１４を上ケース１１に形成しなくても良い。
【００５０】
また、上述の実施の形態では、押し込み孔２３を撓みガイド部１６で閉塞する構成について説明したが、押し込み孔２３を閉塞する構成はこれには限られず、例えば、図５に示すフック取付構造４０および筐体構造４１のように、撓みガイド部１６と台座部２４の間にキャップ部材４２を設け、このキャップ部材４２によって押し込み孔２３を閉塞する構成を採用しても良い。
【００５１】
かかる図５に示すフック取付構造４０および筐体構造４１とした場合でも、押し込み孔２３を良好に閉塞することができる。また、押し込み部材２３を押し込み孔２３から押し込んだ場合でも、このキャップ部材４２を介して撓みガイド部１６を良好に撓ませることが可能となる。それによって、フック部２２と係合孔１８との係合状態を容易に解くことができ、上ケース１１と下ケース１２との取り付け状態を簡単に解除することができる。
【００５２】
また、例えば図６に示すフック取付構造５０および筐体取付構造５１のように、下ケース１２に押し込み孔２３を塞ぐ閉塞部５２を一体的に形成するようにしても良い。この図６に示す構成では、閉塞部５２の撓みガイド部１６と対向する側に当接部５３が形成されていて、この当接部５３が撓みガイド部１６と当接する。それによって、例えばドライバ等の押し込み部材３０によって閉塞部５２を押し込んだ場合でも、撓みガイド部１６を良好に撓ませて、フック部２２と係合孔１８との嵌め込み状態を解除することができる。そして、上ケース１１と下ケース１２とが取り付けられた状態から、両者を容易に外すことができる。
【００５３】
また、例えば図７に示すフック取付構造６０および筐体取付構造６１のように、下ケース１２に押し込み孔２３の一部分を塞ぐと共に、押し込み部材３０を導通孔６３までガイドする押し込みガイド部６２を設けても良い。この押し込みガイド部６２の壁面は、底面部２０から周壁部２１に移動するにしたがって、上方へ移動するようにテーパ状に形成されている。また、押し込みガイド部６２の周壁部２１側には、導通孔６３が形成されている。さらに、押し込みガイド部６２は、当接部６４で撓みガイド部１６に当接している。
【００５４】
この構成において、導通孔６３に押し込み部材３０の先端部分を入れ込んで、撓みガイド部１６に接触させる。そして、この接触状態で、該押し込み部材３０を押し込むことで、撓みガイド部１６を良好に撓ませて、フック部２２と係合孔１８との嵌め込み状態を解除することができる。そして、上ケース１１と下ケース１２とが取り付けられた状態から、両者を容易に外すことができる。
【００５５】
さらに、上述の実施の形態では、上ケース１１と下ケース１２の両方が撓む構成であるが、下ケース１２（特に周壁部２１）が剛性を有すると共に、上ケース１１のみが撓むように構成しても良い。
【００５６】
【発明の効果】
本発明によれば、第１の部材と第２の部材との取り外しを簡単に行える。また、取り付けも容易に行え、さらにフック取付構造内部への塵埃の進入を防ぐことが可能となる。
【図面の簡単な説明】
【図１】本発明の一実施の形態に係るフック取付構造の構成を示す側断面図であり、上ケースと下ケースが取り付けられた状態を示すものである。
【図２】図１のフック取付構造において、上ケースと下ケースとが取り付け前の、互いに離間している状態を示す側断面図である。
【図３】図１のフック取付構造において、上ケースと下ケースとが取り付け前の、互いに離間している状態を示す部分的な断面斜視図である。
【図４】図１のフック取付構造において、上ケースと下ケースとが取り付けられた状態を示す部分的な断面斜視図である。
【図５】本発明の変形例に係るフック取付構造の構成を示す側断面図であり、撓みガイド部と台座部の間にキャップ部材が存在し、このキャップ部材によって押し込み孔が閉塞された、上ケースと下ケースの取付状態を示す図である。
【図６】本発明の変形例に係るフック取付構造の構成を示す側断面図であり、下ケースに押し込み孔を塞ぐ閉塞部が形成され、この閉塞部によって押し込み孔が閉塞された、上ケースと下ケースの取付状態を示す図である。
【図７】本発明の変形例に係るフック取付構造の構成を示す側断面図であり、下ケースの押し込み孔に押し込みガイド部と導通孔が設けられ、この下ケースと上ケースの取付状態を示す図である。
【符号の説明】
１，４０，５０…フック取付構造
２，４１，５１…筐体構造
１１…上ケース（第１の部材）
１２…下ケース（第２の部材）
１４…係合凹部
１５…係合薄肉部
１６…撓みガイド部
１７…コーナ部
１８…係合孔
２０…底面部
２１…周壁部（フック形成部）
２２…フック部
２２ａ…鉛直面
２２ｂ…傾斜面
２３…押し込み孔
２４…台座部
３０…押し込み部材
４２…キャップ部材
５２…閉塞部
【図１】
2004221121.tif 000003
【図２】
2004221121.tif 000004
【図３】
2004221121.tif 000005
【図４】
2004221121.tif 000006
【図５】
2004221121.tif 000007
【図６】
2004221121.tif 000008
【図７】
2004221121.tif 000009